(57)【要約】【課題】両足の位置を規制すると同時に両足を載置した際に働く身体の重量を受けて押圧圧縮作用を働かせ、この作用により内部に封入した薬剤を必ず床面に吐出させて周囲の汚臭や細菌などの不衛生な濡水に対して香気や消毒を行えるようにした便器用足載置シート。【解決手段】便器１の床面上に載敷される便器用足載置シートであって、左右一対の足型形状のシート板２を合成樹脂で成形し、内部に芳香剤，脱臭剤，消毒剤などの薬剤Ｍを封入し、足載置の際、体重の押圧力を働かせてシート板を圧縮させ、内部の薬剤シート板の側方に薬剤を強制的に吐出できるようにして成ることを特徴とする便器用足載置シート。【選択図】図１
2009045080.tif 000002
【特許請求の範囲】
【請求項１】
便器の床面上に載敷される便器用足載置シートであって、左右一対の足型形状のシート板を合成樹脂で成形し、内部に芳香剤，脱臭剤，消毒剤などの薬剤を封入し、足載置の際、体重の押圧力を働かせてシート板を圧縮させ、内部の薬剤シート板の側方に薬剤を強制的に吐出できるようにして成ることを特徴とする便器用足載置シート。
【請求項２】
シート板は、連続気泡の弾性の合成樹脂で形成し、内部に薬剤の収納室を設け、薬剤を連続気泡のシート板の側方より吐出できるようにしたことを特徴とする請求項１記載の便器用足載置シート。
【請求項３】
シート板は、上下二段に形成し、下シート板の下面には両面粘着剤の一方の剥離紙を剥がして片面の粘着剤を添設し、他方の剥離紙を剥がして床面に接着できるようにして成ることを特徴とする請求項１または２記載の便器用足載置シート。
【発明の詳細な説明】
【技術分野】
【０００１】
本発明は、便器の使用時に足位置を適正箇所に定められるようにした便器用足載置シートに関する。
【背景技術】
【０００２】
この種の便器用足位置を決めるようにしたものは、従来より数多く知られ、かつ用いられていた。
【０００３】
例えば小便器用にあっては、踵部分が部分的に立ち上がった足位置決め具を小便器の前に設けて、使用者の足の踵部分を位置決めして、載せられた体重を斜め前方に傾斜させて使用時の小便が便器より飛散したり便器外に垂れるのを防ぐものが知られている（例えば、特許文献１参照）。
【０００４】
あるいは、高級旅館とか料亭などに公衆トイレには適正位置に下駄などを配設してあり、この下駄に履き替えて便器外への飛散や垂れるのを防いでいる。
【特許文献１】特開２００３−４７５７６号公報
【発明の開示】
【発明が解決しようとする課題】
【０００５】
特許文献１を始め、従来の下駄などの配設はそれなりの有効性を奏するが、小便器の場合、特許文献１では使用時の足が前方に傾斜するので、高齢者や病人など、身体のバランスが取り難い人々には使用でき難く、却って不使用の傾向が多くなって、飛散、垂れなどの生じる可能性が高い。
【０００６】
そしてまた、婦人用または大小便兼用の和式トイレなど、排尿の際の便器外への汚れに対する臭気や床面の濡れは不可能に近い。
【０００７】
本発明は叙上の点に着目して成されたもので、男女の関係なく、人の両足の位置を規制すると同時に両足を載置した際に働く身体の重量を受けて押圧圧縮作用を働かせ、この作用により内部に封入した薬剤を必ず床面に吐出させて周囲の汚臭や細菌などの不衛生な濡れに対して、香気や消毒を行えるようにした便器用足載置シートを提供することを目的とする。
【課題を解決するための手段】
【０００８】
本発明は以下の構成を備えることにより、上記課題を解決するものである。
【０００９】
（１）便器の床面上に載敷される便器用足載置シートであって、左右一対の足型形状のシート板を合成樹脂で成形し、内部に芳香剤，脱臭剤，消毒剤などの薬剤を封入し、足載置の際、体重の押圧力を働かせてシート板を圧縮させ、内部の薬剤シート板の側方に薬剤を強制的に吐出できるようにして成ることを特徴とする便器用足載置シート。
【００１０】
（２）シート板は、連続気泡の弾性の合成樹脂で形成し、内部に薬剤の収納室を設け、薬剤を連続気泡のシート板の側方より吐出できるようにしたことを特徴とする前記（１）記載の便器用足載置シート。
【００１１】
（３）シート板は、上下二段に形成し、下シート板の下面には両面粘着剤の一方の剥離紙を剥がして片面の粘着剤を添設し、他方の剥離紙を剥がして床面に接着できるようにして成ることを特徴とする前記（１）または（２）記載の便器用足載置シート。
【発明の効果】
【００１２】
本発明によれば、一対のシート板は家庭は勿論、レストラン，病院などの公衆便所のトイレの便器に左右揃って床面に剥離紙を剥取し、粘着剤塗布面の下面を適正な位置に整然と配置できる。
【００１３】
床面上に載敷されるシート板は、内部に各種薬剤を包含しており、使用時、シート板に両足を載置する時は、身体の重力が作用してシート板を床面との間で圧縮するので、内部の薬剤は連続気泡の小孔または通気孔よりシート板の側方に向けて吐出される。
【００１４】
そのため、芳香剤であれば、足元より芳香が飛散して雰囲気を爽快にできるし、また消臭剤とか消毒剤であれば、衛生面で殺菌や汚臭を改善できる。
【００１５】
しかも、人混みで汚れやすい不衛生のトイレ環境でも使用の都度、薬剤の撒布が経済的に行われるので、不衛生になり勝ちなトイレ環境を綺麗に保つことができる。
【００１６】
さらにシート板が上下２段に形成してあれば、上シート板と下シート板との交互に取替えできると共に、収納室内の薬剤が消失した時は、新たな薬剤を取り換えて反覆使用できる。
【００１７】
なお、シート板自体は、通気性のある連続気泡性のスポンジ構成として製作構成すれば、薬剤の外方への吐出作用は、このスポンジ構成の働きでシート板の圧縮現象によって常に環境の良いトイレを提供できるる
その上、シート板内部に活性炭などの吸着剤を配合すれば、便器周囲の悪臭を常時吸収吸着できるので、臭気除去もである。
【発明を実施するための最良の形態】
【００１８】
以下本発明を実施するための最良の形態を、実施例により詳しく説明する。
【実施例】
【００１９】
以下に、本発明の一実施例を図面と共に説明する。
【００２０】
各図において、１は便器であるが、男子用小便器、婦人用便器、男女兼用の洋式便所や和式便所などあらゆる便器に適用できる。２は、前記便器１の手元両側に配設される足型形状のシート板であって、表面２ａと裏面２ｂと中間の伸縮部２ｃより成り、この伸縮部２ｃは、例えば連続気泡Ｐで構成される所謂スポンジで構成され、内部には芳香剤，脱臭剤，消毒剤などの薬剤Ｍ好ましくは昇華性薬剤が詰め替え自在の収納室２ｄ内に収納されている。
【００２１】
しかも上記シート板２は、上シート板２Ａと下シート板２Ｂとで構成され、下シート板２Ｂの周縁に設けた突縁部３内に上シート材２Ａが嵌合される状態で組み込まれる。
【００２２】
なお、活性炭などの脱臭剤は、スポンジ状の伸縮部２ｃ内に散在させて置き、足載置の操作による押圧後、足除去の際の伸縮部２ｃの圧縮復元により、床面に漂う臭気をスポンジの連続気泡Ｐを通り、伸縮部２ｃ内に取り込んで脱臭させることができる。
【００２３】
４は、裏面２ｂに塗布させた粘着剤であり、両面粘着剤の片面の剥離紙を剥がして接着させてあり、組成構造として反覆使用が可能の、謂わば、微粘着作用を奏するものが好ましく、５はその他方の剥離紙である。
【００２４】
叙上の構成に成るので、男性用の小便器又は家庭用の洋式便器や男女兼用の便器や和式便器などの好みの便器１の設定箇所の床面上に、剥離紙５を剥取して最も適切な位置に配設する。
【００２５】
使用に際し、使用者は載置されている足型形状のシート状２に両足を載置する。その載置に際し、自分の体重が両足のシート板２に加わるので、伸縮部２ｃは圧縮される。この圧縮により、内部の薬剤Ｍの連続気泡Ｐ内に溜まっていた分は押出され、図示の矢符のように外方に向って吐出される。
【００２６】
そのため、床面には薬剤Ｍの種類に応じて芳香作用、消毒作用などの働きを奏し、トイレ環境を改善できる。
【００２７】
用済後、シート板２より離れると、このシート板２に作用していた加圧力が消失されるので、連続気泡Ｐの圧縮状態から膨張状態へ復元するので、収納室２ｄ内の薬剤Ｍの有効成分が連続気泡Ｐ内に浸入する。
【００２８】
その後、他の使用者が使用する際、前と同様にシート板２を押圧するので、再び同様の作用を反覆する。
【００２９】
斯くして、便器１の足回りには常に使用者の使用の度毎に薬剤Ｍの有効成分が散布されることとなり、汚れた環境を衛生的な状態に改善できる。
【００３０】
しかも、清掃に従事する人達の作業もきわめて衛生的に行うことができる。トイレ不浄のイメージをなくし、常に綺麗にしかも衛生的に使用可能とすなることができる。
【００３１】
なお、シート板２にはスポンジ構成に代えて収納室２ｄと通ずる多数の通気孔を外側に向けて構成しても良い。
【図面の簡単な説明】
【００３２】
【図１】本発明に係る便器用足載置シートの片足のみを示す一部切欠平面図
【図２】図１のＩＩ−ＩＩ線拡大断面図
【図３】使用状態の一例を示す平面図で、（ａ）は男子用トイレの場合、（ｂ）は和式トイレの場合を示す
【符号の説明】
【００３３】
１    便器
２    シート板
２ａ    表面
２ｂ    裏面
２ｃ    伸縮部
２ｄ    収納室
２Ａ    上シート板
２Ｂ    下シート板
３    突縁部
４    粘着剤
５    剥離紙
Ｐ    連続気泡性合成樹脂（スポンジ）
Ｍ    薬剤
【図１】
2009045080.tif 000003
【図２】
2009045080.tif 000004
【図３】
2009045080.tif 000005